(57)【要約】【課題】複数のシートからなる感圧複写紙に押圧力を加えて記録を行う際に、上層のシートにおいて記録内容が認識しにくい形態で、下層のシートに記録を行うことが可能な記録装置、及び、記録装置の制御方法を提供する。【解決手段】複写紙１００に記録を行うプリンター２は、複写紙１００を搬送する搬送機構と、複写紙１００の表層に打圧力を加えて発色させる第１記録部４と、複写紙１００の表層にインクを付着させる第２記録部５とを備え、ＣＰＵ２１により、第２記録部５による記録を実行する際に、少なくとも第１記録部４が記録する範囲の一部に重ねて記録を実行する。【選択図】図１
2012162054.tif 000002
【特許請求の範囲】
【請求項１】
複数層のシートからなり、表面に対する圧力により少なくとも表層以外のシートの一部が発色するよう構成された感圧記録媒体に記録を行う記録装置であって、
前記感圧記録媒体を搬送する搬送手段と、
前記感圧記録媒体の表層に打圧力を加えて発色させる第１記録手段と、前記感圧記録媒体の表層にインクを付着させる第２記録手段と、
前記第２記録手段による記録を実行する際に、少なくとも前記第１記録手段が記録する範囲の一部に重ねて記録を実行する記録制御手段と、
を備えることを特徴とする記録装置。
【請求項２】
前記第１記録手段は、記録ワイヤーと、前記記録ワイヤーを打突する機構とを備え、前記感圧記録媒体の表層に向け前記記録ワイヤーにより打突するドットインパクトヘッドを備えて構成されることを特徴とする請求項１記載の記録装置。
【請求項３】
前記記録制御手段は、前記感圧記録媒体の表層に前記第１記録手段が前記記録ワイヤーを打突する位置に応じて、前記第２記録手段によりインクを付着させる位置を決定することを特徴とする請求項２記載の記録装置。
【請求項４】
前記第１記録手段は、前記感圧記録媒体の搬送経路において前記第２記録手段よりも上流側に位置することを特徴とする請求項３記載の記録装置。
【請求項５】
前記第２記録手段は、前記感圧記録媒体の表層にインクを噴射するインクジェット式記録ヘッド、または昇華性若しくは熱溶融性のインクを加熱して前記感圧記録媒体の表層に付着させる熱昇華型若しくは熱転写型の記録ヘッドを備えて構成されることを特徴とする請求項１から４のいずれかに記載の記録装置。
【請求項６】
外部の装置から送信される記録データを受信する受信手段を備え、
前記記録制御手段は、前記第１記録手段が記録する記録データを前記受信手段によって受信した場合に、受信した前記記録データに基づいて前記第２記録手段が記録する記録データを生成することを特徴とする請求項１から５のいずれかに記載の記録装置。
【請求項７】
複数層のシートからなり、表面に対する圧力により少なくとも表層以外のシートの一部が発色するよう構成された感圧記録媒体に記録を行う記録装置の制御方法であって、
前記感圧記録媒体を搬送する搬送手段と、前記感圧記録媒体の表層に打圧力を加えて発色させる第１記録手段と、前記感圧記録媒体の表層にインクを付着させる第２記録手段とを備える前記記録装置を制御し、
前記第２記録手段による記録を実行する際に、少なくとも前記第１記録手段が記録する範囲の一部に重ねて記録を実行すること、
を特徴とする記録装置の制御方法。
【発明の詳細な説明】
【技術分野】
【０００１】
本発明は、インパクトヘッドにより記録を行う記録装置、および、この記録装置の制御方法に関する。
【背景技術】
【０００２】
従来、感圧複写紙に記録を行う記録装置が知られている（例えば、特許文献１参照）。この複写紙は、複葉のシートで構成され、各シートには圧力により発色する発色剤や圧力を受けて他のシートに色移りするカーボン等が付着しており、上層のシートに押圧力が加わると、この押圧力を受けた箇所で発色剤やカーボンの作用により下層のシートが発色する構成となっている。このため、インパクトヘッドにより上層のシートに文字等が打突記録されると、同じ文字等が下層のシートにも現れるので、１回の打突により複数のシートに文字を記録できる。
【先行技術文献】
【特許文献】
【０００３】
【特許文献１】特開平６−８５２６号公報
【発明の概要】
【発明が解決しようとする課題】
【０００４】
ところで、感圧複写紙においてはインパクトヘッドによる打突の跡が残るため、下層のシートのみに文字等を記録することは困難であった。すなわち、感圧複写紙にインパクトヘッドにより打突すれば、ほぼ全てのシートに打突力による凹みが形成されるため、仮にインパクトヘッドが上層のシートにインク等を付着させなかったとしても、凹みの形状等から記録された文字等を認識できてしまう可能性がある。
本発明は、上述した事情に鑑みてなされたものであり、複数のシートからなる感圧複写紙に押圧力を加えて記録を行う際に、上層のシートにおいて記録内容が認識しにくい形態で、下層のシートに記録を行うことが可能な記録装置、及び、記録装置の制御方法を提供することを目的とする。
【課題を解決するための手段】
【０００５】
上記目的を達成するために、本発明は、複数層のシートからなり、表面に対する圧力により少なくとも表層以外のシートの一部が発色するよう構成された感圧記録媒体に記録を行う記録装置であって、前記感圧記録媒体を搬送する搬送手段と、前記感圧記録媒体の表層に打圧力を加えて発色させる第１記録手段と、前記感圧記録媒体の表層にインクを付着させる第２記録手段と、前記第２記録手段による記録を実行する際に、少なくとも前記第１記録手段が記録する範囲の一部に重ねて記録を実行する記録制御手段とを備えることを特徴とする。
本発明によれば、複数層のシートからなる感圧記録媒体の表層に打圧力を加えるとともに、この打圧力を加える範囲の少なくとも一部に重ねて、表層にインクを付着させることができる。これにより、打圧力により表層より下層のシートを発色させて文字、記号または画像等を記録する一方、表層のシートにおいては、記録された文字、記号または画像等をインクにより覆い隠し、認識しにくくすることができる。
【０００６】
また、本発明は、上記記録装置において、前記第１記録手段は、記録ワイヤーと、前記記録ワイヤーを打突する機構とを備え、前記感圧記録媒体の表層に向け前記記録ワイヤーにより打突するドットインパクトヘッドを備えて構成されることを特徴とする。
本発明によれば、ドットインパクトヘッドが記録ワイヤーを打突することにより感圧記録媒体に圧力を加え、確実に発色させることができる。また、この記録ワイヤーによる打突の跡を、インクを付着させることにより、効果的に、視認しにくくすることができる。
【０００７】
また、本発明は、上記記録装置において、前記記録制御手段は、前記感圧記録媒体の表層に前記第１記録手段が前記記録ワイヤーを打突する位置に応じて、前記第２記録手段によりインクを付着させる位置を決定することを特徴とする。
本発明によれば、記録ワイヤーが打突する位置に応じてインクを付着させる位置を決定することで、より一層、感圧記録媒体の表層における記録ワイヤーの打突跡を見にくくすることができる。
【０００８】
また、本発明は、上記記録装置において、前記第１記録手段は、前記感圧記録媒体の搬送経路において前記第２記録手段よりも上流側に位置することを特徴とする。
本発明によれば、感圧記録媒体を打突してから、表層にインクを付着させるので、インクを付着させてから打突する場合に比べ、インクが打突時に剥落するおそれがなく、より確実に、打突した位置を視認しにくくすることができる。
【０００９】
また、本発明は、上記記録装置において、前記第２記録手段は、前記感圧記録媒体の表層にインクを噴射するインクジェット式記録ヘッド、または昇華性若しくは熱溶融性のインクを加熱して前記感圧記録媒体の表層に付着させる熱昇華型若しくは熱転写型の記録ヘッドを備えて構成されることを特徴とする。
本発明によれば、打突しない方式の記録ヘッドを用いて、感圧記録媒体の表層にのみ、より確実にインクを付着させることができ、打突力が加わった痕跡を視認しにくくすることができる。また、感圧記録媒体以外の記録媒体に対してもインクを用いて記録を行うことができる。
【００１０】
また、本発明は、上記記録装置において、外部の装置から送信される記録データを受信する受信手段を備え、前記記録制御手段は、前記第１記録手段が記録する記録データを前記受信手段によって受信した場合に、受信した前記記録データに基づいて前記第２記録手段が記録する記録データを生成することを特徴とする。
本発明によれば、インクを付着させるためのデータが外部の装置から入力されなくても、打突力によって感圧記録媒体に記録を行う場合に、この打突による記録の位置に重ねてインクを付着させることができる。
【００１１】
また、上記目的を達成するために、本発明は、複数層のシートからなり、表面に対する圧力により少なくとも表層以外のシートの一部が発色するよう構成された感圧記録媒体に記録を行う記録装置の制御方法であって、前記感圧記録媒体を搬送する搬送手段と、前記感圧記録媒体の表層に打圧力を加えて発色させる第１記録手段と、前記感圧記録媒体の表層にインクを付着させる第２記録手段とを備える前記記録装置を制御し、前記第２記録手段による記録を実行する際に、少なくとも前記第１記録手段が記録する範囲の一部に重ねて記録を実行することを特徴とする。
本発明の制御方法を実行することにより、複数層のシートからなる感圧記録媒体の表層に打圧力を加えるとともに、この打圧力を加える範囲に重ねて、表層にインクを付着させることができる。これにより、打圧力により表層より下層のシートを発色させて文字、記号または画像等を記録する一方、表層のシートにおいては、記録された文字、記号または画像等をインクにより覆い隠し、認識しにくくすることができる。
【発明の効果】
【００１２】
本発明によれば、複数層のシートからなる感圧記録媒体の表層より下層のシートを発色させて、文字、記号または画像等を記録する一方、表層のシートにおいては、記録された文字、記号または画像等をインクにより覆い隠し、認識しにくくすることができる。
【図面の簡単な説明】
【００１３】
【図１】本発明の実施形態に係る記録システムの構成を示すブロック図である。
【図２】プリンターの記録部及び搬送機構の概略構成を示す要部側面図である。
【図３】プリンターにより記録される感圧複写紙の構成例を示す斜視図である。
【図４】記録後の感圧複写紙の状態を示す平面図である。
【図５】プリンターがダミー画像を形成する様子を示す説明図である。
【図６】記録されたドットとダミー画像のドットとの対比を示す側面視図である。
【図７】プリンターの動作を示すフローチャートである。
【発明を実施するための形態】
【００１４】
以下、図面を参照して本発明の実施形態について説明する。
図１は、本発明を適用した実施形態に係る記録システム１の構成を示すブロック図である。
記録システム１は、プリンター２にホストコンピューター１０を接続して構成され、プリンター２がホストコンピューター１０の制御によって記録物（印刷物）を発行する。記録装置としてのプリンター２は、複数のシートを重ねて構成され、表面から押圧力を受けた場合に少なくとも１枚のシートが発色するよう構成された複写紙１００（感圧記録媒体）に記録を行う。まず、プリンター２の機械的構成について概略を説明する。
【００１５】
図２は、プリンター２の記録部及び搬送機構の概略構成を示す要部側面図である。
プリンター２は、複写紙１００を搬送する搬送機構を構成する第１搬送部３５，３６及び第３搬送部３７を備えている。第１搬送部３５は、複写紙１００の上面すなわち記録面側に位置する従動ローラー３８と、複写紙１００の下面側に位置する駆動ローラー３９とが、複写紙１００の搬送路を挟んで対向配置されて構成される。従動ローラー３８と駆動ローラー３９とは図示しないばね等の付勢機構により、互いに近接する方向に付勢されており、複写紙１００は従動ローラー３８と駆動ローラー３９との間に挟持される。従動ローラー３８は回転自在な従動ローラーである一方、駆動ローラー３９は後述する搬送モーター３３（図１）に連結され、搬送モーター３３の回転力により駆動されて、複写紙１００を図中符号Ｆで示す方向に搬送する。従動ローラー３８は、直接または複写紙１００を介して、駆動ローラー３９に圧接しており、駆動ローラー３９とともに回転して複写紙１００を搬送する。このように、第１搬送部３５は複写紙１００を搬送し、第２搬送部３６及び第３搬送部３７は、第１搬送部３５と同様に従動ローラー３８及び駆動ローラー３９を備えて構成され、同様に複写紙１００を搬送する。つまり、プリンター２は、複写紙１００を搬送する搬送機構（搬送手段）として、搬送モーター３３により一斉に駆動される３つの第１搬送部３５、第２搬送部３６及び第３搬送部３７を備えている。この搬送機構には搬送モーター３３も含まれる。
【００１６】
第１搬送部３５と第２搬送部３６との間には、ドットインパクトヘッド４０を備えた第１記録部４（第１記録手段）が配置されている。ドットインパクトヘッド４０は、記録ワイヤー４１を突出させるワイヤー駆動部４２を有し、このワイヤー駆動部４２によってインクリボン（図示略）を介して記録ワイヤー４１を複写紙１００に対して打突することで、複写紙１００の表面を打突する。ワイヤー駆動部４２は、例えば複数本の記録ワイヤー４１と、これら記録ワイヤー４１を上昇位置に保持するばねと、記録ワイヤー４１を図中下方へ押し出すソレノイド等を備える。
ドットインパクトヘッド４０は、キャリッジ４４に搭載されている。キャリッジ４４は、後述するキャリッジ駆動モーター４６（図１）の正転及び逆転動作によって、キャリッジガイド軸４５に沿って往復走査される。キャリッジガイド軸４５は、複写紙１００の幅方向、すなわち搬送方向に直交する方向（図２中奥行き方向）に延設されているので、４４０は複写紙１００の幅方向に走査しながら複写紙１００の表面に記録ワイヤー４１を突出する。また、複写紙１００の下面側にはドットインパクトヘッド４０の記録ワイヤー４１が突出するワイヤー突出面に対向して、プラテン４８が配置される。プラテン４８はばね４９によって上向きに付勢され、記録ワイヤー４１の突出力を受け止める。また、キャリッジ４４は、ワイヤー駆動部４２の側方において従動ローラー３８を押圧するガイドローラー４３を備え、このガイドローラー４３により、ワイヤー突出面と複写紙１００との間のギャップが適正な大きさに保たれる。
【００１７】
ドットインパクトヘッド４０の下流側には第２搬送部３６が配置され、さらに下流側にはインクジェット式記録ヘッド５０を備えた第２記録部５（第２記録手段）が設けられている。インクジェット式記録ヘッド５０は、インクカートリッジ５２内の流動性のインクを、図示しないピエゾ素子により加圧して、ノズル部５１から複写紙１００の表面すなわち記録面に噴射することで、複写紙１００に文字や画像等を記録する。インクジェット式記録ヘッド５０はキャリッジ５３に搭載され、キャリッジ５３は、キャリッジ駆動モーター５５（図１）の正転及び逆転動作によって、キャリッジガイド軸５４に沿って往復走査される。キャリッジガイド軸５４はキャリッジガイド軸４５と平行に、複写紙１００の搬送方向に直交する方向（図２中奥行き方向）に延設されている。このため、インクジェット式記録ヘッド５０はドットインパクトヘッド４０と同様に、複写紙１００の幅方向に走査しながら複写紙１００の表面にインクを噴射して付着させる。
ノズル部５１が配置されたインク吐出面に対向して、複写紙１００の下側には板状のプラテン５８が配置されている。インクジェット式記録ヘッド５０の下流には第３搬送部３７が配置されており、ドットインパクトヘッド４０及びインクジェット式記録ヘッド５０の各々の上流側及び下流側に搬送部が位置する構成となっている。
【００１８】
図１に示すように、プリンター２は、所定の制御プログラムを実行して各種データを処理することによりプリンター２の各部を制御するＣＰＵ２１、ＣＰＵ２１が実行する制御プログラム、及び、プリンター２の動作に関する設定値等のデータを記憶した不揮発性メモリー２２、ＣＰＵ２１が実行するプログラムや処理対象のデータ等を一時的に記憶するワークエリアを形成するＲＡＭ２３、ＣＰＵ２１の制御に従って後述する各モーターを駆動するモータードライバー２４、及び、ＣＰＵ２１の制御に従って後述するサーマルヘッドを駆動するヘッドドライバー２５を備えている。
【００１９】
モータードライバー２４は、例えばステッピングモーターで構成される搬送モーター３３、２つのキャリッジ駆動モーター４６、５５に接続されている。モータードライバー２４は、ＣＰＵ２１の制御に従って搬送モーター３３に駆動パルスと駆動電流を供給し、搬送モーター３３を必要量だけ回転させて、第１搬送部３５、第２搬送部３６及び第３搬送部３７を駆動し、複写紙１００を搬送する。また、モータードライバー２４は、キャリッジ駆動モーター４６、５５に駆動パルスと駆動電流を供給して、キャリッジ４４及びキャリッジ５３を複写紙１００上で移動させる。なお、モータードライバー２４は、図中の搬送方向Ｆに沿って複写紙１００を搬送するだけでなく、逆方向に複写紙１００を搬送することも可能である。
ヘッドドライバー２５は、ドットインパクトヘッド４０及びインクジェット式記録ヘッド５０の２つの記録ヘッドに接続され、ドットインパクトヘッド４０が備えるワイヤー駆動部４２のソレノイド（図示略）、及び、インクジェット式記録ヘッド５０が備えるピエゾ素子（図示略）に電力を供給して、複写紙１００への記録を実行させる。
ドットインパクトヘッド４０及びキャリッジ駆動モーター４６は第１記録部４（第１記録手段）を構成し、インクジェット式記録ヘッド５０及びキャリッジ駆動モーター５５は第２記録部５（第２記録手段）を構成する。
【００２０】
また、プリンター２は、本体外面に紙送りスイッチ等のスイッチ及びＬＥＤ表示部を備えた操作パネル（図示略）を備えており、操作パネルのスイッチ操作を検出する入力部２６及びＬＥＤ表示部を制御して各種表示を行わせる表示部２７がＣＰＵ２１に接続されている。さらに、ＣＰＵ２１には、複写紙１００の搬送路上において複写紙１００の先端及び後端を検出する紙端センサー３１と、複写紙１００の幅方向の端部を検出する紙幅センサー３２とが接続されている。これら紙端センサー３１及び紙幅センサー３２により、ＣＰＵ２１は、複写紙１００の幅と長さとを検出できる。他にも、プリンター２は、ホストコンピューター１０に接続され、ホストコンピューター１０との間のコマンドやデータの送受信を制御する受信手段としてのインターフェース２８、及び、その他の図示しない機能部を備え、これらはＣＰＵ２１に接続されている。
【００２１】
図３は複写紙１００の構成例を示す斜視図である。
この図３に例示するように、プリンター２が記録媒体として使用する複写紙１００は複数のシートを重ねて構成される。最も上すなわち表側に位置する上シート１０１は、ドットインパクトヘッド４０及びインクジェット式記録ヘッド５０による記録が可能であり、例えば普通紙またはインクジェット用紙など、インクによる記録が可能なシートで構成される。上シート１０１の下に配置される下シート１０２には、上シート１０１の表面に押圧力を加えることで記録可能となっている。図３の例では、下シート１０２に設けられた記録欄１０３に対応して、上シート１０１の裏面に、カーボンインク１０４が付着している。カーボンインク１０４は記録欄１０３に重なる位置に定着されていて、通常時において記録欄１０３に接触し、このカーボンインク１０４の裏側を記録ワイヤー４１が打突すると、その打突力によりカーボンインク１０４が記録欄１０３に濃く付着する。これにより、ドットインパクトヘッド４０によって下シート１０２の記録欄１０３に記録できる。
【００２２】
なお、カーボンインク１０４を用いないで、複写紙１００を構成することも可能である。上シート１０１の裏面に、染料を含んだマイクロカプセルを含む発色剤を付着させる一方、下シート１０２の表面に顕色剤を付着させた場合、上シート１０１が押圧力を受けることで発色剤と顕色剤との反応によって下シート１０２が発色する。また、複写紙１００は２層の複写紙に限らず、より多層のシートからなる複写紙を用いることも可能である。この場合も、表層を除く各層に、ドットインパクトヘッド４０の押圧力による記録が行える構成となっている。
【００２３】
以上のように構成されるプリンター２が備えるＣＰＵ２１は、記録制御手段として機能し、モータードライバー２４及びヘッドドライバー２５を制御することで、複写紙１００に対する記録を行う。複写紙１００は感圧複写紙であるから、ドットインパクトヘッド４０によって下シート１０２の記録欄１０３に文字や画像等を記録できる。また、上シート１０１にはインクリボンのインクが付着するから、上シート１０１には、記録欄１０３に記録したものと同じ文字や画像が認識できる。仮に、ドットインパクトヘッド４０にインクリボンを装着せず記録を行っても、上シート１０１の表面には記録ワイヤー４１の打突跡が残る。
【００２４】
ところで、個人情報やパスワード等の秘密にするべき情報を記録する場合に、上シート１０１に記録内容が見えないように、下シート１０２のみに記録を行うことができれば、上シート１０１が記録欄１０３を覆い隠すカバーとなるため、内容がわからないように文字等を記録できる。この場合、プリンター２から記録後の複写紙１００が排出される時点で記録内容が視認できないので、高い秘匿性を確保できるという通常の記録装置では実現できない効果がある。
そこで、ＣＰＵ２１は、記録内容が下シート１０２においてのみ視認できるように、ドットインパクトヘッド４０及びインクジェット式記録ヘッド５０の両方を用いた記録を行う。すなわち、ＣＰＵ２１はドットインパクトヘッド４０による記録欄１０３への記録を行った後に、記録欄１０３に対応する位置にインクジェット式記録ヘッド５０によりインクを吐出し、記録内容を隠すようなダミー画像を記録する。このダミー画像により、上シート１０１に残ったインクリボンのインクや記録ワイヤー４１の打突跡を隠蔽することができる。
【００２５】
図４は、記録後の複写紙１００の状態の一例を示す平面図であり、（Ａ）は上シート１０１の状態を示し、（Ｂ）は下シート１０２の状態を示す。
図４（Ｂ）に示すように、下シート１０２の記録欄１０３には、カーボンインク１０４または発色剤によって鮮明に、例えば「ＡＢＣ」という文字が記録されている。もちろん画像や記号等を記録欄１０３に記録することも可能である。一方、図４（Ａ）に示すように、上シート１０１においては、ドットインパクトヘッド４０が記録欄１０３に記録を行った位置に重なる領域（範囲）に、インクジェット式記録ヘッド５０がインクを吐出して、ダミー画像１０５を形成している。ダミー画像１０５は、記録ワイヤー４１が上シート１０１の表面を打突した痕跡を覆っているので、上シート１０１上からは、記録欄１０３に何が記録されたかを視認できない。
ＣＰＵ２１は、ダミー画像１０５のデータを、ホストコンピューター１０からドットインパクトヘッド４０による記録を行うために送信されたデータに基づき、自動的に生成する。
【００２６】
上述のように、インクジェット式記録ヘッド５０は、複写紙１００の搬送路においてドットインパクトヘッド４０よりも下流側に位置しているので、記録ワイヤー４１の打突の後からインクが吐出される。このため、記録ワイヤー４１の打突跡を確実に隠蔽できる。また、インクジェット式記録ヘッド５０が吐出したインクに対して記録ワイヤー４１が打突される場合とは異なり、ダミー画像１０５のインクが削れる等の懸念がない。
【００２７】
さらに、ドットインパクトヘッド４０が記録した位置に重ねて形成されるダミー画像１０５を、記録ワイヤー４１の打突位置に合わせて調整することで、打突跡をより見にくくする効果が期待できる。
図５は、プリンター２がダミー画像１０５を形成する様子の一例を示す説明図であり、（Ａ）は記録ワイヤー４１が記録する画像１１０のドットの構成を示し、（Ｂ）は画像１１０のドットの構成に基づきダミー画像のドットを調整する様子を示し、（Ｃ）は形成されたダミー画像１１２のドットの構成を示す。
また、図６は複写紙１００の記録欄１０３に記録された画像のドットとダミー画像１０５のドットとの対比を模式的に示す側面視図である。
【００２８】
プリンター２のＣＰＵ２１は、第１記録部４によって記録欄１０３に記録すべき文字、記号あるいは画像（ここでは画像と総称する）のデータを、インターフェース２８を介してホストコンピューター１０から受信すると、このデータに基づいてドットインパクトヘッド４０が記録する画像をＲＡＭ２３に展開する。
ＲＡＭ２３に展開された画像は、図５（Ａ）に例示する画像１１０のように、ドットインパクトヘッド４０が備える記録ワイヤー４１により形成するドットの集合である。この画像１１０を記録すると、複写紙１００の上シート１０１にも、記録ワイヤー４１の打突により画像１１０が記録される。インクリボンの使用時にはインクによりドットが形成去れ、インクリボンの非使用時には記録ワイヤー４１の打突跡によりドットが形成される。この上シート１０１の表面に形成される画像１１０に重ねて、第２記録部５がインクを一様に吐出してベタ塗り状態のダミー画像を形成すると、画像１１０の視認性は低下する。
【００２９】
このダミー画像１１２はベタ塗り状態に限定されない。例えば、第２記録部５が吐出するインクによって複雑なドットパターンを有するダミー画像１１２を形成すると、記録ワイヤー４１の打突による凹みや、第１記録部４が使用したインクの色み等がより一層目立たなくなり、上シート１０１上から記録欄１０３に記録された内容を認識することはほぼ不可能となる。
具体的には、図５（Ｂ）に示すように、画像１１０の周囲において、予め設定された割合でドットと空白とを配置し、配置されたドットと画像１１０のドットとを合わせることで、図５（Ｃ）に示すように、画像１１０を覆い隠すとともに適当な空白を有するダミー画像１１２のドットパターンを形成できる。なお、画像１１０の周囲にドットを配置する場合に、画像１１０のドットに隣接する位置と、画像１１０のドットから離れた位置とで、空白とドットの割合が変わるようにしてもよい。また、画像１１０の大きさに合わせてダミー画像１１２の大きさを調整してもよいし、記録欄１０３に合わせたサイズのダミー画像１１２を常に用いてもよい。
このようなダミー画像１１２を生成して、第１記録部４の記録後に第２記録部５がダミー画像１１２を記録すれば、第１記録部４による記録内容が外から見えないように、複写紙１００の下シート１０２にのみ記録を行える。
【００３０】
図７は、プリンター２の動作を示すフローチャートである。
プリンター２のＣＰＵ２１は、ホストコンピューター１０から送信される記録指示コマンドと、記録用のデータとを受信し（ステップＳ１１）、記録対象の記録媒体が複写紙１００のような感圧式の記録媒体であるか否かを判別する（ステップＳ１２）。プリンター２が備えるドットインパクトヘッド４０及びインクジェット式記録ヘッド５０は、複写紙だけでなく、１枚の普通紙からなるカットシートにも、ロール状に巻かれたロール紙やファンフォールド紙などの連続シートにも、記録を行うことができる。ＣＰＵ２１は、ダミー画像１０５の要否を判別するため、記録を実行する前に記録媒体の種類を判別する。具体的な判別方法は、例えば、ホストコンピューター１０から受信した記録指示コマンドが指定する記録媒体の種類に基づいて判別する方法、或いは、不揮発性メモリー２２に記憶されている記録媒体の種類に関する設定値に基づいて判別する方法である。
【００３１】
記録対象の記録媒体が複写紙である場合（ステップＳ１２；Ｙｅｓ）、ＣＰＵ２１は、ホストコンピューター１０から受信した記録指示コマンドにより指定された記録位置、或いは記録データに含まれる記録位置のデータ等に基づいて、記録する領域の位置およびサイズを取得する（ステップＳ１３。さらに、ＣＰＵ２１は、ホストコンピューター１０から受信した記録データをＲＡＭ２３に展開して、ドットインパクトヘッド４０及び／又はインクジェット式記録ヘッド５０により記録する文字、記号あるいは画像のイメージを生成する（ステップＳ１４）。
【００３２】
ここで、ＣＰＵ２１は、ホストコンピューター１０から受信した記録データの中に、ドットインパクトヘッド４０が記録した領域に、インクジェット式記録ヘッド５０が重ねて記録するデータがあるか否かを判別する（ステップＳ１５）。重ねて記録するデータがない場合（ステップＳ１５；Ｎｏ）、ＣＰＵ２１は、ドットインパクトヘッド４０が記録する範囲をカバーする位置及びサイズのダミー画像のデータを生成し（ステップＳ１６）、このデータを、例えば図５（Ａ）〜（Ｃ）を参照して説明したように、ドットインパクトヘッド４０が形成するドットに合わせて加工する（ステップＳ１７）。この加工後のデータに従って、インクジェット式記録ヘッド５０が、ドットインパクトヘッド４０が記録した領域の少なくとも一部に重ねてダミー画像を記録することになる。
【００３３】
その後、ＣＰＵ２１は、ドットインパクトヘッド４０により記録を実行し（ステップＳ１８）、記録媒体を搬送して、下流側に位置するインクジェット式記録ヘッド５０により記録を実行し（ステップＳ１９）、本処理を終了する。
【００３４】
一方、ホストコンピューター１０から受信した記録データの中に、ドットインパクトヘッド４０が記録した領域に、インクジェット式記録ヘッド５０によっても重ねて記録するデータがある場合（ステップＳ１５；Ｙｅｓ）、ＣＰＵ２１は、そのままステップＳ１８に移行する。この場合、ドットインパクトヘッド４０が記録する領域に重なるようにインクジェット式記録ヘッド５０が記録すべきデータがあり、このデータはダミー画像ではない。このため、ダミー画像を生成すると、本来インクジェット式記録ヘッド５０が記録すべき文字や画像を記録できなくなる。
また、記録媒体が複写紙でない場合（ステップＳ１２；Ｎｏ）、ＣＰＵ２１は、ホストコンピューター１０から受信したデータをＲＡＭ２３に展開して、ドットインパクトヘッド４０及び／又はインクジェット式記録ヘッド５０により形成するドットのイメージを生成し（ステップＳ２０）、ステップＳ１８に移行して記録を実行する。
【００３５】
以上のように、本発明を適用した実施形態に係る記録システム１を構成するプリンター２は、複数層のシートからなり、表面に対する圧力により少なくとも表層以外のシートの一部が発色するよう構成された複写紙１００に記録を行うプリンター２は、複写紙１００を搬送する搬送機構と、複写紙１００の表層に打圧力を加えて発色させる第１記録部４と、複写紙１００の表層にインクを付着させる第２記録部５とを備え、ＣＰＵ２１により、第２記録部５による記録を実行する際に、少なくとも第１記録部４が記録する範囲の一部に重ねて記録を実行するので、複数層のシートからなる複写紙１００の表層に打圧力を加えるとともに、この打圧力を加える範囲に重ねて、表層にインクを付着させることができる。これにより、打圧力によって下層のシートを発色させて文字、記号または画像等を記録する一方で、表層のシートにおいては、記録された文字、記号または画像等をインクにより覆い隠し、認識しにくくすることができる。
【００３６】
また、第１記録部４は、記録ワイヤー４１と、記録ワイヤー４１を打突するワイヤー駆動部４２とを備え、複写紙１００の表層に向け記録ワイヤー４１により打突するドットインパクトヘッド４０を備えて構成されるので、記録ワイヤー４１を打突することにより複写紙１００に圧力を加え、確実に発色させることができる。また、この記録ワイヤー４１による打突の跡に第２記録部５によってインクを付着させることで、効果的に、視認しにくくすることができる。
【００３７】
また、ＣＰＵ２１は、複写紙１００の表層に第１記録部４が記録ワイヤー４１を打突する位置に応じて、第２記録部５によりインクを付着させる位置を決定するので、複写紙１００の表層における記録ワイヤー４１の打突跡を、より目立ちにくくすることができる。
また、第１記録部４は、複写紙１００の搬送経路において第２記録部５よりも上流側に位置するので、複写紙１００を打突してから表層にインクを付着させることになる。このため、インクを付着させてから打突する場合に比べ、インクが打突時に剥落するおそれがなく、より確実に、打突の跡を視認しにくくすることができる。
【００３８】
また、第２記録部５は、複写紙１００の表層にインクを噴射するインクジェット式記録ヘッド５０を備えて構成されるので、より確実に、複写紙１００の表層にインクを付着させることができ、打突力が加わった痕跡を視認しにくくすることができる。また、複写紙１００以外の複写紙１００に対してもインクを用いて記録を行うことができる。
ここで、インクジェット式記録ヘッド５０に代えて、昇華性若しくは熱溶融性のインクを加熱して複写紙１００の表層に付着させる熱昇華型若しくは熱転写型の記録ヘッドを用いてもよく、インクジェット式記録ヘッド５０と同様の効果が得られる。これらの場合、記録ヘッドは、サーマル方式のものとなり、インクリボンを用い、インクリボンを搬送する機構も備える。
さらに、ホストコンピューター１０から送信される記録データを受信するインターフェース２８を備え、ＣＰＵ２１は、第１記録部４が記録する記録データをインターフェース２８によって受信した場合に、受信した記録データに基づいて第２記録部５が記録する記録データを生成するので、インクを付着させるためのデータがホストコンピューター１０から入力されなくても、ドットインパクトヘッド４０によって複写紙１００に記録を行う場合に、この打突による記録の位置に重ねてインクを付着させることができる。
【００３９】
なお、上述した実施の形態は、あくまでも本発明の一態様を示すものであり、本発明の範囲内で任意に変形および応用が可能である。例えば、上記実施の形態においては、直線状の搬送路の上流から、第１搬送部３５、第１記録部４、第２搬送部３６、第２記録部５、及び第３搬送部３７の順に配置し、複写紙１００が搬送方向Ｆに一方向で搬送される構成を例に挙げて説明したが、本発明はこれに限定されるものではなく、例えば一つの挿入排出口から複写紙１００を挿入し、この複写紙１００を往復搬送して上記挿入排出口から排出する構成としてもよく、この場合には、ドットインパクトヘッド４０が記録する場合の搬送方向において、インクジェット式記録ヘッド５０よりもドットインパクトヘッド４０が上流側に位置していればよい。また、搬送機構を構成するモーター及びローラーの数は任意であり、例えば、第１記録部４がローラープラテンを備え、このローラープラテンが搬送機構の一部を構成してもよい。また、上記実施形態では、第２記録部５のインクジェット式記録ヘッド５０によって記録する際に、第１記録部４のドットインパクトヘッド４０により記録した記録欄１０３の全体を覆うように、ダミー画像１０５を記録する例について説明したが、本発明はこれに限定されるものではなく、ドットインパクトヘッド４０により記録した範囲の一部に重ねてインクジェット式記録ヘッド５０によって記録を行ってもよい。例えば、ドットインパクトヘッド４０によって秘匿する必要の無い情報と、秘匿すべき情報とを記録した場合に、秘匿すべき情報が記録された領域のみ、インクジェット式記録ヘッド５０によってダミー画像を記録してもよい。さらに、上記実施形態では、ホストコンピューター１０とプリンター２とが一対一で接続され、このホストコンピューター１０から入力されるコマンド及びデータに従ってプリンター２が記録を行う構成を例に挙げて説明したが、プリンター２に対して複数のホストコンピューター１０を接続する構成としてもよい。また、プリンター２においてＣＰＵ２１が実行する動作を制御するプログラムを不揮発性メモリー２２に記憶する構成に限らず、通信回線を介してプリンター２に接続された記憶装置や、外部の記録媒体からＣＰＵ２１が上記プログラムを読み取って実行してもよい。
また、上記実施の形態においては、本発明をプリンター２及びプリンター２を有する記録システム１に適用した場合について説明したが、本発明はこれに限定されず、他の機器（複写機等）に組み込まれた記録装置に適用することも可能である。その他、上記実施の形態に係る他の細部構成についても、任意に変更可能であることは勿論である。
【符号の説明】
【００４０】
１…記録システム、２…プリンター（記録装置）、５…ホストコンピューター（外部の装置）、４…第１記録部（第１記録手段）、５…第２記録部（第２記録手段）、２１…ＣＰＵ（記録制御手段）、２８…インターフェース（受信手段）、３３…搬送モーター（搬送手段）、３５…第１搬送部（搬送手段）、３６…第２搬送部（搬送手段）、３７…第３搬送部（搬送手段）、４０…ドットインパクトヘッド、４１…記録ワイヤー、４２…ワイヤー駆動部、５０…インクジェット式記録ヘッド、１００…複写紙（感圧式複写紙）、１０１…上シート、１０２…下シート、１０３…記録欄、１０５…ダミー画像、Ｆ…搬送方向。
【図１】
2012162054.tif 000003
【図２】
2012162054.tif 000004
【図３】
2012162054.tif 000005
【図４】
2012162054.tif 000006
【図５】
2012162054.tif 000007
【図６】
2012162054.tif 000008
【図７】
2012162054.tif 000009